(57)【要約】【課題】  製造コストの低減を図り、人感センサの誤作動を抑える。【解決手段】  直管蛍光灯１０を有する光源部１１と、光源部１１を支持する器具本体１２と、放射状の検知領域Ｓ内での人体の存否を検知するための人感センサ１７と、人感センサ１７による検知結果に基づいて直管蛍光灯１０を点灯させる制御回路部１８とを備える。光源部１１による照明領域は、直管蛍光灯１０の中心線を通る平面に対して一方側に位置される。そして、人感センサ１７は、検知領域Ｓが照明領域内の一定の領域になるように、検知領域Ｓの中心線Ｃが鉛直方向に対して傾斜されて固定される。【選択図】  図３
2006032050.tif 000002
【特許請求の範囲】
【請求項１】
放電灯を有する光源部と、前記光源部を支持する器具本体と、放射状の検知領域内での人体の存否を検知するための検知手段と、前記検知手段による検知結果に基づいて前記放電灯を点灯させる制御手段とを備える照明器具において、
前記光源部による照明領域は、前記放電灯の中心線を通る平面に対して一方側に位置され、
前記検知手段は、前記検知領域が前記照明領域内の一定の領域になるように、前記検知領域の中心線が鉛直方向に対して傾斜されて固定されていることを特徴とする照明器具。
【請求項２】
前記検知手段は、前記検知領域の前記中心線が鉛直方向に対して、人体の移動領域側に向かって傾斜されている請求項１に記載の照明器具。
【請求項３】
前記検知手段は、前記器具本体の底面部に設けられている請求項１に記載の照明器具。
【請求項４】
前記器具本体は、建築物の側壁または該側壁に設けられた収納部の下方に配置される請求項１ないし３のいずれか１項に記載の照明器具。
【請求項５】
前記検知手段は、人体から放射される赤外線を受信する受信部を有する請求項１ないし４のいずれか１項に記載の照明器具。
【請求項６】
前記検知手段は、超音波を発信する発信部と、人体からの超音波の反射波を受信する受信部とを有する請求項１ないし４のいずれか１項に記載の照明器具。
【発明の詳細な説明】
【技術分野】
【０００１】
本発明は、照明器具近傍に人体が存在するか否かを検知して放電灯の点灯および消灯を制御する照明器具に関する。
【背景技術】
【０００２】
従来、照明器具には、例えば台所の収納棚、学習机の本棚、商品陳列棚等の下方に配置される棚下用の照明器具が知られている。
【０００３】
一般的な棚下用の照明器具には、図５に示すように、例えば台所の流し台１０６等の上方に設けられた食器棚１０７の下方に配置され、図５（ａ）に示すように、『直管蛍光灯１１０の外周部の全周、すなわち直管蛍光灯１１０の中心線を通りこの直管蛍光灯１１０の長手方向に平行な平面に対して両側を照明領域Ｌａとして使用する照明器具１０１Ａ』、および図５（ｂ）に示すように、『直管蛍光灯１１０の外周部の周回りの半分、すなわち直管蛍光灯１１０の中心線を通りこの直管蛍光灯１１０の長手方向に平行な平面に対していずれか一方側を照明領域Ｌｂとして使用する照明器具１０１Ｂ』がある。
【０００４】
そして、後者の棚下用の照明器具１０１Ｂとしては、台所の流し台１０６や調理台等で作業する際に、台所近傍に使用者が近づいたときに直管蛍光灯１１０を自動的に点灯させ、また使用者が台所から立ち去ったときに直管蛍光灯１１０を自動的に消灯するように、使用者である人体の移動を検知する、いわゆる人感センサを備える照明器具がある。
【０００５】
台所で一般に使用される、人感センサを備える従来の照明器具には、図６に示すように、人感センサ１１７が、照明器具の直下を中心とされた検知領域Ｔを有し、この検知領域Ｔが実際に使用する検知領域よりも大きく確保されており、使用者の必要に応じて、検知領域Ｔの大きさを任意に狭めるための領域規制部材（不図示）等の付属部品を別途に人感センサの検知部の周囲に取り付ける必要があるタイプがある。
【０００６】
また、人感センサを備える従来の他の照明器具には、図７に示すように、人感センサ１１８の検知領域Ｖが比較的狭くされて、使用環境に応じて、検知部を回動させることで検知領域Ｖを照明器具の前方から後方に亘って移動させることが可能に設けられており、使用者が検知領域Ｖを任意の方向に向けて設定して使用するタイプもある。
【０００７】
また、従来の照明器具としては、人感センサの検知部が、鉛直方向の軸回りおよび水平方向の軸回りにそれぞれ回動可能に設けられることで、人感センサの検知部を上下、左右方向に移動させて検知領域を変更することができる構成が開示されている（例えば、特許文献１参照。）。
【特許文献１】特開平８―３１２２６号公報（図１）
【発明の開示】
【発明が解決しようとする課題】
【０００８】
ところで、図６および図７に示した従来の照明器具は、検知領域の領域規制部材等の付属部品や、検知部が可動構造の人感センサを備えることで、部品代や製造コストがかさみ、照明器具を安価に提供することが困難になる原因のひとつである。そのため、人感センサによる検知の品質を低下させずに、照明器具をより一層安価に提供するため、部品代および製造コストの低減が求められている。
【０００９】
また、従来の照明器具では、検知領域に、実際に人体が移動する移動領域以外の領域が含まれているため、人体以外の熱源等を誤って検知してしまう誤作動を生じる場合もあった。
【００１０】
そこで、本発明は、実際に人体が移動する移動領域のみを検知領域にすることを可能にし、検知部を可動させる機構が不要になり、照明器具の製造コストを低減することができる照明器具を提供することを目的とする。
【課題を解決するための手段】
【００１１】
上述した目的を達成するため、本発明に係る照明器具は、放電灯を有する光源部と、この光源部を支持する器具本体と、放射状の検知領域内での人体の存否を検知するための検知手段と、この検知手段による検知結果に基づいて放電灯を点灯させる制御手段とを備える。また、光源部による照明領域は、放電灯の中心線を通る平面に対して一方側に位置される。そして、検知手段は、検知領域が照明領域内の一定の領域になるように、検知領域の中心線が鉛直方向に対して傾斜されて固定される。
【００１２】
以上のように構成した本発明に係る照明器具によれば、検知手段による放射状の検知領域の中心線を鉛直方向に対して傾斜させた状態で固定することによって、光源部による照明領域内で実際に人体が移動する移動領域を考慮して、検知手段の検知領域を実際に使用する必要な範囲のみに設定することが可能になる。したがって、この照明器具によれば、検知手段の検知領域を可動させる機構も不要となるので、照明器具の製造コストの低減が図られる。
【００１３】
なお、本発明において、放電灯の中心線を通る平面とは、例えば直管蛍光灯の場合、直管蛍光灯の径方向の中心を通りこの直管蛍光灯の長手方向に平行な平面を指している。また、本発明において、検知手段の検知領域の中心線とは、例えば赤外線や超音波を検知する検知素子の検知面に直交する垂線を指している。
【発明の効果】
【００１４】
上述したように本発明に係る照明器具によれば、検知手段の検知領域が照明領域内の一定の領域になるように、検知領域の中心線が鉛直方向に対して傾斜されて固定されていることによって、検知手段の検知部が可動する構成の従来の照明器具に比べて、構成が簡素化され、製造コストの低減を図ることが可能となる。
【発明を実施するための最良の形態】
【００１５】
以下、本発明の具体的な実施形態について、図面を参照して説明する。
【００１６】
本実施形態の照明器具は、室内の側壁やこの側壁から突出して設けられた収納部の下方に配置される壁付け型の照明器具である。すなわち、この照明器具は、例えば、台所の流し台や調理台の上方に設けられた食器棚等の収納部の下方に配置される、いわゆる棚下用の照明器具であって、直管蛍光灯の中心線を通る平面、換言すれば直管蛍光灯の径方向の中心を通りこの直管蛍光灯の長手方向に平行な平面に対して一方側、すなわち流し台および流し台の前方の範囲を照明するように構成されている。
【００１７】
図１および図２に示すように、照明器具１は、放電灯として直管蛍光灯１０を有する光源部１１と、この光源部１１を支持する器具本体１２と、この器具本体１２に直管蛍光灯１０を覆うように取り付けられるセード１３と、これらセード１３と器具本体１２とに跨って取り付けられる一組のサイドカバー１４，１５とを備えている。
【００１８】
また、この照明器具１は、光源部１１による照明領域内で、使用者である人体の存否を検知するための人感センサ１７を備えている。
【００１９】
図３に示すように、器具本体１２は、直管蛍光灯１０の接続端子に接続される一組のコネクタ２１と、コネクタ２１を介して直管蛍光灯１０に電力を供給し点灯および消灯を制御するための制御回路部１８と、これらコネクタ２１および制御回路部１８を支持する支持基体２３とを有している。制御回路部１８は、人感センサ１７が人体を検知したときに直管蛍光灯１０を点灯させ、また人感センサ１７が人体を検知しないときに直管蛍光灯１０を消灯させるように制御を行う。
【００２０】
支持基体２３は、例えば金属材料によって形成されており、天板２６および底板２７がそれぞれ設けられている。これら天板２６および底板２７の各縁部には、セード１３を支持する平板状の上支持片２８および下支持片２９が、直管蛍光灯１０の長手方向に亘ってそれぞれ一体に形成されている。そして、器具本体１２は、図１および図２に示すように、支持基体２３が例えば台所の流し台６の上方に配置された食器棚７の底面に取り付けられている。
【００２１】
セード１３は、例えば樹脂材料によって断面略Ｕ字状に形成されており、器具本体１２側の上支持片２８および下支持片２９にそれぞれ係合される上係合部３１および下係合部３２が、直管蛍光灯１０の長手方向に亘ってそれぞれ一体に形成されている。これら上係合部３１および下係合部３２は、断面略コ字状に形成されており、上支持片２８および下支持片２９がほぼ平行に挿入される対向間隙をなす一対の係合片を有している。そして、このセード１３は、器具本体１２の天板２６および底板２７と協同して直管蛍光灯１０の全周を覆うように器具本体１２の天板２６と底板２７とに跨って取り付けられている。
【００２２】
サイドカバー１４，１５は、例えば樹脂材料によって有底箱状に形成されており、開口内に、支持基体２３およびセード１３の各端部がそれぞれ挿入されることで、支持基体２３の端部とセード１３の端部とに跨って係合される。
【００２３】
人感センサ１７は、器具本体１２の底板２７に、外方に突出して設けられた検知部１７ａを有している。この検知部１７ａは、図示しないが、例えば、人体から放射される赤外線を検知する焦電素子、または超音波を発信して人体からの超音波の反射波に基づいて人体の存否を検知する超音波センサを有している。
【００２４】
そして、検知部１７ａは、図２および図３に示すように、放射状の検知領域が光源部１１による照明領域の一定の領域になるように、検知領域Ｓの中心線Ｃを、床面の垂直方向、すなわち鉛直方向に対して所定の傾斜角αをもって傾斜させた状態で固定されて設けられている。
【００２５】
ところで、図４に示すように、台所の流し台６の上方に設けられた食器棚７の下方に照明器具１が配置される場合、実際に台所を使用する使用者が移動する移動領域Ｍは、流し台６や調理台（不図示）等の前方側に集中しており、この前方側の領域がほとんどを占めている。
【００２６】
したがって、本実施形態では、人感センサ１７の検知領域Ｓの中心線Ｃを、実際に使用者が移動する、直管蛍光灯１０の前方側に向けて傾斜させた状態で、検知部１７ａを固定することによって、人感センサ１７の検知領域Ｓ内に、使用者が移動する移動領域Ｍのみが含まれるようにされている。すなわち、人感センサ１７は、検知部１７ａの中心線Ｃが、鉛直方向に対して流し台６や調理台等の前方側の移動領域Ｍのほぼ中央に向かって傾斜されており、照明器具１の真下から前方にわたる範囲が人感センサ１７の検知領域Ｓとされている。
【００２７】
なお、検知領域Ｓの中心線Ｃの傾斜角αは、人体の移動領域Ｍと検知部１７ａの位置との相対位置や、検知領域Ｓの大きさ等に応じて設定され、必要に応じて、鉛直方向に対して直管蛍光灯１０の長手方向側に向かって傾斜されてもよい。
【００２８】
以上のように構成された照明器具１について、光源部１１による照明領域で人体の存否を検知したときの動作を説明する。
【００２９】
照明器具１は、台所の使用者が移動領域Ｍ内に進入した際、人感センサ１７の検知領域Ｓ内に使用者が位置するので、人感センサ１７の検知部１７ａが人体を検知し、制御回路部１８によって光源部１１を点灯させる。また、照明器具１は、台所から使用者が立ち去った際、人感センサ１７の検知領域Ｓ内から使用者の位置が外れるので、人感センサ１７の検知部１７ａが人体が存在しないことを検知し、この検知結果に基づいて制御回路部１８が光源部１１を消灯させる。
【００３０】
上述したように、照明器具１によれば、検知領域Ｓが照明領域内の一定の領域になるように、検知領域Ｓの中心線Ｃが鉛直方向に対して所定の傾斜角αだけ傾斜させて固定された検知部１７ａを有する人感センサ１７を備えることによって、人感センサの検知部を可動式に構成された従来の照明器具と比較して構成が簡素化され、製造コストを低減することが可能である。
【００３１】
また、この照明器具によれば、人体が実際に移動する移動領域Ｍのみを検知領域Ｓにすることが可能になるため、人体以外の例えば調理台の熱源等による誤作動を抑えることができる。
【図面の簡単な説明】
【００３２】
【図１】本実施形態の照明器具を示す斜視図である。
【図２】前記照明器具を示す側面図である。
【図３】前記照明器具を示す断面図である。
【図４】前記照明器具を示す側面図である。
【図５】従来の照明器具を模式的に示す側面図である。
【図６】従来の照明器具を模式的に示す側面図である。
【図７】従来の照明器具を模式的に示す側面図である。
【符号の説明】
【００３３】
１  照明器具
６  流し台
７  食器棚
１０  直管蛍光灯
１１  光源部
１２  器具本体
１３  セード
１４，１５  サイドカバー
１７  人感センサ
１７ａ  検知部
１８  制御回路部
２１  コネクタ
２３  支持基体
２６  天板
２７  底板
２８  上支持片
２９  下支持片
３１  上係合部
３２  下係合部
【図１】
2006032050.tif 000003
【図２】
2006032050.tif 000004
【図３】
2006032050.tif 000005
【図４】
2006032050.tif 000006
【図５】
2006032050.tif 000007
【図６】
2006032050.tif 000008
【図７】
2006032050.tif 000009